(57)【特許請求の範囲】
【請求項１】
断面形状がコの字状に屈曲した取り付け本体１の上面のみを延長し直角上方に折り曲げ、Ｌ字状のカメラ取り付け体４の位置調整用孔８ｂ、８ｃを設け、更に該コの字状取り付け本体１の前面にＵ字状棒体２のねじ先端を差し込むためのＵ字状棒体貫通孔１aを２個設け、該取り付け本体１の上面と下面に同心上に円弧で切欠き、前記Ｌ字状のカメラ取り付け体４には取り付け本体１との接続のための１個の取り付け孔８ａを設けたＬ字状の一面と他面にカメラ取り付け用ハンドルノブ６のボルト部を貫通させるための溝型孔６a及びカメラ取り付け固定プレート５のカメラ回り止めピン５aとカメラ回り止め爪５ｄが貫通させるカメラ回り止め爪孔５ｃが設けられ、前記取り付け本体１の前面に設けられた２個のＵ字状棒体貫通孔１aにＵ字状棒体２のねじ先端部を差し込みＵ字状棒体螺合用ハンドルノブ３のナット部を螺合してなる自転車にカメラを取り付けて安定した映像を撮る事を可能とした支持金具。
【発明の詳細な説明】
【技術分野】
【０００１】
本発明は、カメラを支持して、自転車本体のヘッドチューブの下部に把持して、安定した映像を撮ることを可能とした、支持金具に関するものである。
【背景技術】
【０００２】
従来の自転車に取り付けて撮影する装置は、カメラを運転者自身に取り付ける装置が多く、取り付け方法と調整が難しくカメラの重量が負担になり操作性が悪い為、安定した映像が撮れなかったが、近年になり、自転車のハンドルにカメラを取り付ける金具が開発された。その結果、運転者にかかる負担が減り、又、操作性が向上した。
【０００３】
上記の、ハンドルに取り付ける構造は、カメラ取り付け体の下側に球状突起物を球状受け体で包み込んで絞めて使用する、球状鋼球把持部があり、さらにその下に上部半円割押さえ金具と、下部半円割受け金具が下部よりボルト２本でハンドルのパイプを挟んで取り付ける。
【０００４】
更に最近になり前記載の支持金具より簡単な取り付け装置が開発された。それはカメラを取りつける台状の取り付け本体を面ファスナー付きのバンドでハンドルに巻き付けて止める構造になっており、この金具は取り付け本体とハンドルとの間に滑り止めゴムが付いてはいるが、ハンドルに対する把持力が弱い。
【０００５】
自転車にアクセサリーを取り付ける支持金具は一般的にはアクセサリー其の物自体が把持金具付きであるものが大半で、其の殆どがプラスチック製であり、半割のバンド状のものをボルトとナットでハンドルのパイプを挟み着けて取り付けるものが多い。 又把持部分内側には、把持力を増す為にボルトとナットを螺合させた時に、其の半割部が閉め切らない様、プラスチック製の厚さ調整用板と、ゴム製の滑り止め用板が付属品としてあり、必ず締め代が残る様に工夫されている。  
【０００６】
たとえばハンドル部には、ブレーキレバー、チェンジレバー、ライト、ベル、ミラー、サイクルメーター、籠（取付け金具は付属品）等、又、後部左右、本体フレーム部、及び、シートピラー部には、点滅ライト、反射鏡、ボトルケージ、輪行バック、サドルバック、番号式ワイヤー錠、荷台（金属製でボルト止め式）、前後泥除け（フレームにボルト取付け式）、等々が装備品としてある。
【０００７】
なかにはＭＴＢ車の、Ｗサスペンションタイプのシートポスト下部に把持するアルミニュウム製で多少強度のある荷台も存在する。
【０００８】
軽便な三脚としての使用はもとより、自動車のドアガラスの上縁などにも取り付けが出来る様にカメラ用三脚を構成する、カメラ支持装置がある。（例えば、特許文献１参照。）
【０００９】
又、二輪車における、籠等の物品保自体を車体に対して容易に脱着できる取付け支持体を提供して、運搬したい物品の種類が異なる場合であっても、それぞれの物品が振動等に起因して揺れ動かないようにし、各種物品の確実な保護を図る。物品保自体の取り付け支持具がある。（例えば、特許文献２参照。）
【先行技術文献】
【特許文献】
【００１０】
【特許文献１】特開平０５−０９９３９７号公報
【特許文献２】実開平７−２７９８９号公報
【発明の概要】
【発明が解決しようとする課題】
【００１１】
解決を求められている問題は、ハンドルに取りつけるカメラ支持金具は存在した。しかし走行中の２輪車におけるハンドル操作は常時左右に振る事が絶対条件である。従って、支持されたカメラはそれに伴い常時左右に振れることから免れることが出来ない。当然映像が左右にふらつく。従ってヘッドチューブ（ハンドルコラムを上下のベアリング部で保持している本体フレーム前部のパイプ）部に強い把持力をもって取り付けられた支持金具を提供して、安定した映像を撮る事が課題となる。
【課題を解決するための手段】
【００１２】
断面形状がコの字状に屈曲した取り付け本体１の上面のみを延長し直角上方に折り曲げ、Ｌ字状のカメラ取り付け体４の位置調整用孔８ｂ、８ｃを設け、更に該コの字状取り付け本体１の前面にＵ字状棒体２のねじ先端を差し込むためのＵ字状棒体貫通孔１aを２個設け、該取り付け本体１の上面と下面に同心上に円弧で切欠き、前記Ｌ字状のカメラ取り付け体４には取り付け本体１との接続のための１個の取り付け孔８ａを設けたＬ字状の一面と他面にカメラ取り付け用ハンドルノブ６のボルト部を貫通させるための溝型孔６a及びカメラ取り付け固定プレート５のカメラ回り止めピン５aとカメラ回り止め爪５ｄが貫通させるカメラ回り止め爪孔５ｃが設けられ、前記取り付け本体１の前面に設けられた２個のＵ字状棒体貫通孔１aにＵ字状棒体２のねじ先端部を差し込みＵ字状棒体螺合用ハンドルノブ３のナット部を螺合してなる自転車にカメラを取り付けて安定した映像を撮る事を可能とした支持金具。
【発明の効果】
【００１３】
今回の支持金具は、自転車のヘッドチューブ（ハンドルコラムを上下のベアリング部で保持している本体フレーム前部のパイプ）に取り付いている為にカメラは左右にふら付きがなく、安定した映像を撮ることができる。  
【００１４】
取り付け本体の右上端部にはハンドルノブとナベ小ネジをもって取り付けられているＬ字状カメラ取り付け体が丁度ハンドルの右下部分にカメラが位置する様になっており、本場所はカメラの保護の為になり、又、右ハンドルの下部に位置する為、操作性も良くなる。
【００１５】
又、この支持金具はレジャー用自転車に使用されることが多く、其の殆どは前輪をハンドルで操作する為のフロントフォークが、サスペンションフオークとなっており、その結果、さら にヘッドチューブの上下の揺れもスムーズな動きとなる。
【００１６】
取り付け本体前側に螺合されているハンドルノブ２個を少し緩め、金具全体の左右の向きを変える、と同時に右側に位置するハンドルノブ１個も緩め、カメラの上下の向きも変えてハンドルノブを、再度締めつけることにより、運転者が注意せずに、自由な景色を撮る事が可能である。
【００１７】
本発明は、一般の人が、スポーツやレジヤー、又は、趣味として、気軽に自転車店等で、こずかい程度の金額で、購入出来て、しかも簡単に取りつけて楽しむものである。またこの金具は、迫力のあるシーンが自分だけの映像として、又、動く記憶として残しておけるのが、最大の利点である。
【図面の簡単な説明】
【００１８】
【図１】本支持金具の組み立て斜視図
【図２】本支持金具の分解斜視図
【図３】カメラを取り付けた支持金具を自転車に取り付けた状態で右側後部から見た全体斜視図
【図４】カメラを支持する為の装置の分解斜視図
【図５】取り付け本体とＬ字状カメラ取り付け体を取付ける部分を示す破断斜視図
【図６】カメラ回り止めピン取り付け部を示めす破断斜視図
【発明を実施するための形態】
【実施例】
【００１９】
図２及び図３において、本発明は、カメラ取り付け本体１を、ハンドルコラム（軸）を本体フレーム前側のヘッドチューブ（ハンドルコラムを上下のベアリング部で保持している本体フレーム前部のパイプ）Ｊの、下側に取り付け出来るようにしたものである。その結果自転車のハンドル部と比較して、前側のヘッドチューブＪ部分は、殆ど揺れない。従って安定した映像を撮ることが出来る。
【００２０】
図１及び図２において、組み立て方法は、コの字状に屈曲した取り付け本体１の孔１ａに、Ｕ字状棒体２がアルミニュウム製のヘッドチューブ（ハンドルコラムを上下のベアリング部で保持している本体フレーム前部のパイプ）Ｊの後部下側よりそれを前方向に巻き付ける様に差し込み、其の前側に位置する取り付け本体１の孔に貫通させハンドルノブ３をして、螺合する事により湾曲状に切り欠かいた部分の上下が食い込んで。強固な把持力を発揮する装置とした支持金具である。
【００２１】
図１において、取り付け本体１とカメラ取り付け体４との距離がある為、片持ち梁状になるので、走行中に生じる振動の増幅効果が起因して繰り返し過重が取り付け本体１の繋ぎ目部分と其の全体に加わるので、本金具は弾力性のある材質をもって、厚みを増した頑丈なコの字状となる事が必要条件となる。
【００２２】
図１及び、図２において、ハンドルノブ３は、高ナット、ボルト、スプリングワッシャー、ハンドルノブの組み合わせで出来ている。このハンドルは樹脂製なので手で絞め易く、又、マウンテンバイクでのオフロード走行時には、より強い増し締めが求められるので前側の高ナット（背の高いナットを意味する）の部分を、スパナで増し締めすることが出来る。
【００２３】
図４において、カメラの支持方法であるが、カメラ取り付け固定プレート５を、カメラ取り付け体４の下部よりハンドルノブ６のボルト部を６ｃと６ａの孔を貫通して、次にハンドルノブ落下防止用Ｏリング６ｂをボルトの先端部より被せ、そのボルトを最後にカメラの取り付け用雌ネジ孔に螺合して取り付ける。又、穴６ａはＯリングが全部はまり込むように上下大小の２段孔加工が施されている
【００２４】
図４において、カメラの回り止め方法は、下側のカメラ取り付け固定プレート５の前側には短い丸棒状のピン５ａが付いており、更に右側端部はＵ字状に屈曲され、其の先端部は三角状に尖り、ハンドル付きネジを上方向に捩子上げるに従いそれぞれカメラ取り付け体４の前部の丸孔５ｂと右側の角孔５ｃを貫いて上部方向に突出して、カメラ取り付け固定プレート５のバネの押し上げる力によりカメラの底に引っ掛かり回り止めの役目をする。
【００２５】
図６において、カメラ取り付け固定プレート５に付いている縦型カメラ回り止めピン５aの、取り付け方法であるが、先ずプレート５に開いている孔５eにタップでメスネジを切り、次に丸棒体にダイスで外ネジを切って仕上げた５aをネジ孔５eにねじ込んで取り付ける。（この方法は１例を挙げる。）
【００２６】
この金具のカメラの上下の向き、及び、上下位置の調整はハンドルノブ７とナベ小ネジ８をはずして、８ｂを８ｃの穴に差し替え、又、ハンドルノブ７を緩めカメラの上下の向きを変え再度ハンドルノブを締めることで容易に操作出来る。
【００２７】
取り付け本体１とカメラ取り付け体４とカメラ取り付け固定プレート５の製作方法は、板厚３.２ｔ冷間圧延鋼板に外周抜き穴あけプレス加工を施し、次にプレス金型曲げ及び、リブ付け冷間加工を行い、最後に（ユニクロ）電気亜鉛鍍金処理を施す。（これは１例を挙げる。）
【符号の説明】
【００２８】
１    取り付け本体
１a   Ｕ字状棒体貫通孔
２    Ｕ字状棒体
３    Ｕ字状棒体螺合用ハンドルノブ
４    カメラ取り付け体
５    カメラ取り付け固定プレート
５a   カメラ回り止めピン
５b   カメラ回り止めピン孔
５c   カメラ回り止め爪孔
５d   カメラ回り止め爪
５e   カメラ回り止めピン用捩子孔
６    カメラ取り付け用ハンドルノブ
６a   溝型孔
６b   Ｏリング
６c   固定プレート支持用ボルト孔
７    位置調整用ハンドルノブ
８    ナベ小ネジ
８a   取り付け孔
８b   位置調整用孔
８c   位置調整用孔
Ｊ    自転車ヘッドチューブ（ハンドルコラムを上下のベアリング部で            保持している本体フレーム前部のパイプ）
Ｃ    カメラ
【図１】
0005480121.tif 000002
【図２】
0005480121.tif 000003
【図３】
0005480121.tif 000004
【図４】
0005480121.tif 000005
【図５】
0005480121.tif 000006
【図６】
0005480121.tif 000007